(57)【要約】      （修正有）【課題】釣竿をガタ付きなどなく安定してケース本体に収納する際にかかる作業時間を減らすことで、作業コストの低下と生産量の増加をさせる釣竿収納ケースを提供する。【解決手段】釣竿５０を収容するための収容空間Ｓを形成する筒状のケース本体１０と、ケース本体１０内に挿入されて釣竿５０を保持する保持体３０と、保持体３０に対して釣竿５０を固定するための固定部材２０を備え、固定部材２０は釣竿の魚釣用リールが装着されてもよい把持部５１に固定するための把持部差し込み部２０ａと可動フード差し込み部２０ｂを有し、保持体３０と固定するための固定穴２０ｃとフラップ２０ｄを有し、釣竿５０と固定部材２０と保持体３０を固定した状態の釣竿保持体固定品６０で上下左右軸方向の動きを規制し、釣竿保持体固定品６０をケース本体１０に挿入する。【選択図】図１
0003213049.tif 000002
【実用新案登録請求の範囲】
【請求項１】
釣竿を収容するための収容空間を形成する筒状のケース本体と、前記ケース本体内に挿入されて釣竿を保持する保持体と、前記保持体に対して釣竿を固定するための固定部材を備えた釣竿収納ケースであって、前記固定部材は釣竿と固定するための差し込み部と、前記保持体と固定するためのフラップを有し、釣竿と前記固定部材と前記保持体を固定した状態の釣竿保持体固定品にすることで上下左右前後軸方向の動きを規制し、釣竿保持体固定品を前記のケース本体に挿入することを特徴とする釣竿収納ケース。
【請求項２】
前記固定部材は、釣竿と固定するために、釣竿の魚釣用リールが装着されてもよい把持部の把持部穴に挿入するための把持部差し込み部と、前記把持部と前記把持部先端の把持部可動フードを利用して挟み込まれる可動フード差し込み部が形成されていることを特徴とする請求項1に記載の釣竿収納ケース。
【請求項３】
前記固定部材は、１８０度回転した際に、前記把持部差し込み部と前記可動フード差し込み部が入れ替っても役割が問題なく果たせるように、上下左右対称の形状であることを特徴とする請求項１または請求項２に記載の釣竿収納ケース。
【請求項４】
前記固定部材は、前記フラップを折り曲げることで、前記保持体の切り欠きの凸部分を挿入することの出来る固定穴を形成することを特徴とする請求項１または請求項２、請求項３に記載の釣竿収納ケース。
【請求項５】
前記固定部材の前記固定穴に前記保持体の前記切り欠きの凸部分を挿入することで、釣竿の上下左右軸方向の動きが規制されることを特徴とする請求項１または請求項２、請求項３、請求項４に記載の釣竿収納ケース。
【請求項６】
前記固定部材は、前記切り欠きの下にある切り込みに挿入するために、前記フラップの先端にフラップ先端部が形成されており、前記フラップ先端部を前記切り込みに挿入することで、釣竿の前後軸方向の動きが規制されることを特徴とする請求項１または請求項２、請求項３、請求項４、請求項５に記載の釣竿収納ケース。
【請求項７】
前記保持体は、様々な長さの釣竿に対応するために前記切り欠きが複数あることを特徴とする請求項１または請求項４、請求項５、請求項６に記載の釣竿収納ケース。
【考案の詳細な説明】
【技術分野】
【０００１】
本考案は、釣竿を収納保持するための釣竿収納ケースに関し、特に、釣竿の運搬時などにおいて釣竿を保護するべく収納する釣竿収納ケースに関する。          
【背景技術】
【０００２】
従来から、釣竿を運搬したり、釣竿を販売店で展示できるようにするために、釣竿を収納保持する釣竿収納ケースは数多く知られている。
【０００３】
例えば、特許文献1に開示される釣竿収納ケースは下記の様な仕様である。釣竿を受けるためのスリットの入った円柱状の発泡プラスチックから成る緩衝部材を釣竿に装着し、釣竿の釣り糸ガイドに緩衝部材の当接面を当接させる。
紙板材を複数回折り曲げるとによって段付き形状に成された保持体に2箇所穴をあけ、その穴から線状部材を通す。
緩衝部材を装着した釣竿を上記保持体の角に押し当てて線状部材を緩衝部材の周囲で緩衝部材を変形させるように縛り、釣竿と緩衝部材と保持体を強固に固定し、釣竿を収容するための収容空間を形成する筒状のケースに釣竿を固定した保持体を挿入し、釣竿の基端を前記ケース本体の底面に当て付けることで、釣竿を軸方向で挟みこむことにより軸方向の動きを規制することのできる釣竿収納ケースである。
【先行技術文献】
【特許文献】
【０００４】
【特許文献１】特開平２０１６−６７３０５号  公報  （段落０００９）
【考案の概要】
【考案が解決しようとする課題】
【０００５】
しかしながら、前述した釣竿収納ケースは、緩衝部材を装着した釣竿を保持体に固定する際に行う、線状部材で緩衝部材を縛る作業に手間がかかり、作業コストが高くなるとともに、釣竿の収納も手間がかかるため、生産量を増加させることが出来ないという問題がある。
【０００６】
また、前述した釣竿収納ケースは、釣竿の長さに合わせて保持体の線状部材を通す穴位置が変わってしまうため、多種類の釣竿に対して釣竿収納ケースを共通化出来ないという問題がある。
【０００７】
本考案は、上記した釣竿の収納作業の作業性の問題に着目してなされた物であり、釣竿の収納作業を効率化することで、作業コストを低下させ且つ生産量の増加を提供することを目的とする。
【０００８】
本考案は、上記した多種類の釣竿の長さに合わせた収納の問題に着目してなされた物であり、収納ケース本体と保持体と固定部材を釣竿の長さに関わらず共通化することで、低コストな釣竿収納ケースを提供することを目的とする。
【課題を解決するための手段】
【０００９】
上記した目的を達成するために、本考案の釣竿収納ケースは、釣竿を収容するための収容空間を形成する筒状のケース本体と、前記ケース本体内に挿入されて釣竿を保持する保持体と、前記保持体に対して釣竿を固定するための固定部材を備えた釣竿収納ケースであって、前記固定部材は釣竿と固定するための差し込み部と、前記保持体と固定するためのフラップを有し、釣竿と前記固定部材と前記保持体を固定した状態の釣竿保持体固定品にすることで上下左右前後軸方向の動きを規制し、釣竿保持体固定品を前記のケース本体に挿入することを特徴とする釣竿収納ケース。
【００１０】
前記固定部材は、釣竿と固定するために、釣竿の魚釣用リールが装着されてもよい把持部の把持部穴に挿入するための把持部差し込み部と、前記把持部と前記把持部先端の把持部可動フードを利用して挟み込まれる可動フード差し込み部が形成されていることを特徴とする釣竿収納ケース。
【００１１】
前記固定部材は、１８０度回転した際に、前記把持部差し込み部と前記可動フード差し込み部が入れ替っても役割が問題なく果たせるように、上下左右対称の形状であることを特徴とする釣竿収納ケース。
【００１２】
前記固定部材は、前記フラップを折り曲げることで、前記保持体の切り欠きの凸部分を挿入することの出来る固定穴を形成することを特徴とする釣竿収納ケース。
【００１３】
前記固定部材の前記固定穴に前記保持体の前記切り欠きを挿入することで、釣竿の上下左右軸方向の動きが規制されることを特徴とする釣竿収納ケース。
【００１４】
前記固定部材は、前記切り欠きの下にある切り込みに挿入するために、前記フラップの先端にフラップ先端部が形成されており、前記フラップ先端部を前記保持体の前記切り込みに挿入することで、釣竿の前後軸方向の動きが規制されることを特徴とする釣竿収納ケース。
【００１５】
前記保持体は、様々な長さの釣竿に対応するために前記切り欠きが複数あることを特徴とする釣竿収納ケース。
【考案の効果】
【００１６】
釣竿の固定手段が簡単なため作業コストの低下と生産量の増加を実現できる釣竿収納ケースを提供できる。
【００１７】
釣竿収納ケースの各部品が1種類の部品に共通化して様々なサイズの釣竿に対応出来るので、低コストな釣竿収納ケースを提供できる。
【図面の簡単な説明】
【００１８】
【図１】本考案の第１の実施の形態による釣竿が収納された釣竿収納ケースの斜視図である。
【図２】釣竿に固定部材を固定した際の斜視図である。
【図３】釣竿に固定部材と保持体を固定した際の斜視図である。
【図４】釣竿に固定部材と保持体を固定した状態でケース本体に挿入する際の斜視図である。
【考案を実施するための形態】
【００１９】
以下、本考案に関わる釣竿収納ケースの実施形態について図面を参照しながら具 体的に説明する。
【００２０】
図１で示すように、本実施形態の釣竿収納ケース１は、釣竿５０を収容するための収容空間Sを形成する筒状のケース本体１０と、ケース本体１０内に挿入されて釣竿５０を保持するために屈曲形成された保持体３０と、保持体３０に対して釣竿５０を固定するための固定部材２０とを備える。
【００２１】
なお釣竿収納ケース１内に収納される釣竿５０は、本実施形態では、１本竿（ワンピースロッド）から成るが、その形態は特に限定されない。また、この釣竿５０は、例えば、魚釣用リールが装着されてもよい把持部５１を有している。
【００２２】
図２、図３で示されている固定部材２０はプラスチックで形成されており、釣竿５０を固定するために、釣竿５０の把持部５１の把持部穴５１ａに差し込まれる把持部差し込み部２０ａと、把持部５１と把持部可動フード５１ｂに挟み込まれる可動フード差し込み部２０ｂを有し、釣竿５０の上下左右軸方向の動きを規制するため、保持体３０と固定するための固定穴２０ｃを有し、釣竿５０の前後軸方向の動きを規制するため、保持体３０と固定するためのフラップ２０ｄ及びフラップ２０ｄ先端のフラップ先端部２０ｅを有している。
【００２３】
なお、固定部材２０は、１８０度回転した際に把持部差し込み部２０ａと可動フード差し込み部２０ｂが入れ替わってしまうが、上下左右対称の形状になっているため果たす役割に問題の無い形状を有している。
【００２４】
図３で示すように、保持体３０は板材を折り曲げることによって形成され、釣竿５０の上下左右軸方向の動きを規制するため、固定部材２０と固定するために固定穴２０ｃを差し込むための切り欠き３０ａを複数個有し、釣竿５０の前後軸方向の動きを規制するため、固定部材２０のフラップ２０ｃのフラップ先端部２０ｄを差し込むための切り込み３０ｂを複数個有している。
【００２５】
上記構成の釣竿収納ケース１内に釣竿５０を収納する手順について説明する。まず、図２に示されているように釣竿５０の把持部５１の把持部穴５１ａに固定部材２０の把持部差し込み部２０ａを挿入し、可動フード差し込み部２０ｂを把持部５１と把持部可動フード５１ｂで挟み込むように把持部可動フード５１ｂを回転させながら可動させ、釣竿５０と固定部材２０を固定し、釣竿固定部材固定品４０状態にする。把持部可動フード５１ｂを可動させる際、固定部材２０が釣竿５０から抜けないようにしっかり回転させて固定させることが好ましい。
【００２６】
図３に示されているように釣竿固定部材固定品４０のフラップ２０ｄを内側に折り曲げ、折り曲げた際にできる固定穴２０ｃに保持体３０の切り欠き３０ａの凸部分を挿入することで、釣竿の上下左右軸方向の動きが規制される。
【００２７】
なお、切り欠き３０ａは様々な長さの釣竿に対応するために複数箇所あり、釣竿基端５２が保持体３０の底の方に来るように切り欠き３０ａの適正な凸部分に固定穴２０ｃを挿入する。
【００２８】
次に、図３に示されているようにフラップ２０ｄの先端のフラップ先端部２０ｅを内側に折り曲げ、固定穴２０ｃを挿入した切り欠き３０ａの下にある切り込み３０ｂに挿入し、釣竿固定部材固定品４０が保持体３０に固定された釣竿保持体固定品６０状態にすることで、釣竿の前後軸方向の動きが規制される。
【００２９】
図４に示されるように、ケース本体１０のケース底面１０ａを開口し、釣竿保持体固定品６０の釣竿穂先からケース底面１０ａに挿入し、ケース底面１０ａを閉口し、釣竿５０をケース本体１０に収納する。
【００３０】
以上説明したように、本実施形態の釣竿収納ケース１によれば、釣竿５０を固定部材２０と保持体３０に固定した釣竿保持体固定品６０状態にすることで、釣竿５０の上下左右前後の動きを規制することができ、釣竿保持体固定品６０をケース本体１０に収容することで、運搬中等において激しい振動や衝撃に晒されても、釣竿５０がケース本体１０内でガタ付くことが防止され、また、釣竿５０がケース本体１０の内壁と激しく接触したり屈曲して破損することも防止できる。しかも、このような作用効果は、固定部材２０を中心に釣竿５０と保持体３０を固定するだけの簡単な構造によって得ることができる。すなわち、釣竿の固定手段が簡単なため作業コストの削減と生産量の増加を実現できる釣竿収納ケースを提供できる。
【図１】
0003213049.tif 000003
【図２】
0003213049.tif 000004
【図３】
0003213049.tif 000005
【図４】
0003213049.tif 000006
【手続補正書】
【提出日】平成29年7月28日(2017.7.28)
【手続補正１】
【補正対象書類名】実用新案登録請求の範囲
【補正対象項目名】全文
【補正方法】変更
【補正の内容】
【実用新案登録請求の範囲】
【請求項１】
釣竿を収容するための収容空間を形成する筒状のケース本体と、前記ケース本体内に挿入されて釣竿を保持する保持体と、前記保持体に対して釣竿を固定するための固定部材を備えた釣竿収納ケースであって、前記固定部材は釣竿と固定するための差し込み部と、前記保持体と固定するためのフラップを有し、釣竿と前記固定部材と前記保持体を固定した状態の釣竿保持体固定品にすることで上下左右前後軸方向の動きを規制し、釣竿保持体固定品を前記のケース本体に挿入することを特徴とする釣竿収納ケース。
【請求項２】
前記固定部材は、釣竿と固定するために、釣竿の魚釣用リールが装着されてもよい把持部の把持部穴に挿入するための把持部差し込み部と、前記把持部と前記把持部先端の把持部可動フードを利用して挟み込まれる可動フード差し込み部が形成されていることを特徴とする請求項１に記載の釣竿収納ケース。
【請求項３】
前記固定部材は、１８０度回転した際に、前記把持部差し込み部と前記可動フード差し込み部が入れ替っても役割が問題なく果たせるように、上下左右対称の形状であることを特徴とする請求項２に記載の釣竿収納ケース。
【請求項４】
前記固定部材は、前記フラップを折り曲げることで、前記保持体の切り欠きの凸部分を挿入することの出来る固定穴を形成することを特徴とする請求項１、請求項２または請求項３に記載の釣竿収納ケース。
【請求項５】
前記固定部材の前記固定穴に前記保持体の前記切り欠きの凸部分を挿入することで、釣竿の上下左右軸方向の動きが規制されることを特徴とする請求項４に記載の釣竿収納ケース。
【請求項６】
前記固定部材は、前記切り欠きの下にある切に挿入するために、前記フラップの先端にフラップ先端部が形成されており、前記フラップ先端部を前記切り込みに挿入することで、釣竿の前後軸方向の動きが規制されることを特徴とする請求項４または請求項５に記載の釣竿収納ケース。
【請求項７】
前記保持体は、様々な長さの釣竿に対応するため前記切り欠きが複数あることを特徴とする請求項４、請求項５または請求項６に記載の釣竿収納ケース。